(57)【要約】【課題】  種々の花粉アレルゲンに対するヒトモノクローナル抗体を提供すると共に、該抗体を細胞外に継続して安定的に分泌することができるハイブリドーマを作製すること。【解決手段】    花粉アレルゲンに対するヒトモノクローナル抗体、花粉アレルゲンに対するヒトモノクローナル抗体を分泌するマウス−ヒトハイブリドーマ、及び、前記抗体を用いることを特徴とする花粉アレルゲンの検出方法並びに検出用キット。【選択図】  なし【特許請求の範囲】
【請求項１】
花粉アレルゲンに対するヒトモノクローナル抗体。
【請求項２】
花粉アレルゲンがスギ花粉アレルゲンである請求項１記載のヒトモノクローナル抗体。
【請求項３】
花粉アレルゲンに対するヒトモノクローナル抗体を分泌するマウス−ヒトハイブリドーマ。
【請求項４】
花粉アレルゲンがスギ花粉アレルゲンである請求項３記載のマウス−ヒトハイブリドーマ。
【請求項５】
マウス−ヒトハイブリドーマＮＦ４６０２（ＦＥＲＭ  ＢＰ−０８６２０）。
【請求項６】
マウス−ヒトハイブリドーマＮＦ４７０１（ＦＥＲＭ  ＢＰ−０８６２１）。
【請求項７】
マウス−ヒトハイブリドーマＮＦ４６０１（ＦＥＲＭ  ＢＰ−０８６１９）。
【請求項８】
請求項３〜７のいずれかに記載のマウス−ヒトハイブリドーマを培養することを特徴とする請求項１又は２記載のヒトモノクローナル抗体の製造方法。
【請求項９】
請求項１又は２記載のヒトモノクローナル抗体を用いることを特徴とする花粉アレルゲンの検出方法。
【請求項１０】
請求項１又は２記載のヒトモノクローナル抗体を含むことを特徴とする花粉アレルゲンの検出用キット。
【発明の詳細な説明】
【技術分野】
【０００１】
本発明は、花粉アレルゲンに対するヒトモノクローナル抗体に関し、詳しくは、花粉症を引き起こす種々の花粉アレルゲン蛋白質に対するヒトモノクローナル抗体、該抗体を永続的に分泌するマウス−ヒトハイブリドーマに関する。
【背景技術】
【０００２】
花粉アレルギーの研究には、花粉アレルギーの患者血清、あるいは花粉アレルゲンで免疫した動物血清、さらにはマウスモノクローナル抗体が用いられてきた（非特許文献１〜４参照）。
【０００３】
マウスモノクローナル抗体は、一般に、該抗体を生産するハイブリドーマを作製し、これに抗体を生産させることにより製造される。例えば細胞融合法によれば（非特許文献５参照）、増殖のできないマウス脾臓細胞と、永続的に増殖可能なマウス骨髄腫細胞（融合パートナー）とを細胞融合し、抗体分泌能力は脾臓細胞から、増殖能力は骨髄腫細胞からの双方の性質をもった融合細胞＝ハイブリドーマを作製することができる。尚、細胞融合には当初、センダイウィルスが用いられたが、その後ポリエチレングリコールによる細胞融合が普及し、電気穿孔法による細胞融合も行われている。
【０００４】
また、ヒトリンパ球を適当なヒト骨髄腫細胞と細胞融合することによってヒト−ヒトハイブリドーマを作製し、該ハイブリドーマにヒトモノクローナル抗体を生産させることができると考えられた（非特許文献６参照）が、汎用性の高いヒト骨髄腫細胞株は、樹立されていない。
そこで、ヒトＢリンパ芽球様細胞株を融合パートナーとする方法が考えられ、いくつかのヒト−ヒトハイブリドーマが樹立されている（非特許文献７参照）。しかしながら、ヒトＢリンパ芽球様細胞株の多くは、それ自身が抗体を分泌することから、得られたハイブリドーマが２種類の抗体を分泌する不都合があった。
【０００５】
このように、花粉アレルゲンに対するヒトモノクローナル抗体を安定的に生産し、これを花粉アレルゲンの解析や、花粉症の予防、治療等に応用した例は、これまでにはなかった。
【０００６】
【非特許文献１】Sakaguchiら，Allergy，45（4），309-312（1990）
【非特許文献２】Ganboら，Auris Nasus Larynx，22（3），158-164（1995）
【非特許文献３】Suzukiら，Acta Otolaryngol．（Suppl．）525，85-89（1996）
【非特許文献４】Sakaguchiら，Clin．Exp．Allergy，29（12），1692-1695（1999）
【非特許文献５】Kohlerら，Nature，256，495-497（1975）
【非特許文献６】Olssonら，Proc．Natl．Acad．Sci．USA，77，5427-5431（1980）
【非特許文献７】Kozborら，Immunology Today，4，72-79（1983）
【発明の開示】
【発明が解決しようとする課題】
【０００７】
本発明の目的は、種々の花粉アレルゲンに対するヒトモノクローナル抗体を提供すると共に、該抗体を細胞外に継続して安定的に分泌することができるハイブリドーマを作製することにある。
【課題を解決するための手段】
【０００８】
そこで本発明者らは、花粉アレルゲンに対するヒトモノクローナル抗体を生産するハイブリドーマの作製を試みた。
本発明者は、これまでに、ヒト末梢血リンパ球をヘルペスウィルスの１種であるエプスタイン−バールウィルス（ＥＢＶ）で形質転換させて培養し、目的の抗体分泌細胞をオリゴクローンの状態で維持し、さらにこのオリゴクローンとマウス骨髄腫細胞を異種細胞融合することによって、安定的にヒトモノクローナル抗体を分泌するマウス−ヒトハイブリドーマの作出に成功した（特開平２−１１３８９６号公報，特開平３−１２７９９４号公報及び特開平３−２２８６９２号公報参照）。
しかし、これらの手法では、抗体分泌細胞を低い確率でしか得られなかったため、結果的に、マウス−ヒトハイブリドーマの効率良い作出を実現することができなかった。
【０００９】
そこで、本発明者は、上記手法を改良し、健常人から採取した末梢血リンパ球に代えて、花粉症を明らかに発症している花粉症患者から採取した末梢血リンパ球を用いて、花粉アレルゲンに対するモノクローナル抗体を高い確率で生産できるマウス−ヒトハイブリドーマの作出を試みた。
すなわち、花粉アレルギー（花粉症）患者から分離した末梢血リンパ球にエプスタイン−バールウィルスを感染させ培養して、培養後の培養上清に分泌される抗花粉抗体を調べたところ、抗花粉抗体を分泌する抗体陽性細胞を高い確率で得ることができたので、該細胞を選択してＳＰ２／Ｏ３などのマウス骨髄腫細胞と細胞融合させた。
その結果、安定的にヒト抗花粉モノクローナル抗体を分泌するマウス−ヒトハイブリドーマを効率良く得られることを見出し、本発明に到達した。
【００１０】
すなわち、請求項１記載の本発明は、花粉アレルゲンに対するヒトモノクローナル抗体である。
請求項２記載の本発明は、花粉アレルゲンがスギ花粉アレルゲンである請求項１記載のヒトモノクローナル抗体である。
請求項３記載の本発明は、花粉アレルゲンに対するヒトモノクローナル抗体を分泌するマウス−ヒトハイブリドーマである。
請求項４記載の本発明は、花粉アレルゲンがスギ花粉アレルゲンである請求項３記載のマウス−ヒトハイブリドーマである。
請求項５記載の本発明は、マウス−ヒトハイブリドーマＮＦ４６０２（ＦＥＲＭ  ＢＰ−０８６２０）である。
請求項６記載の本発明は、マウス−ヒトハイブリドーマＮＦ４７０１（ＦＥＲＭ  ＢＰ−０８６２１）である。
請求項７記載の本発明は、マウス−ヒトハイブリドーマＮＦ４６０１（ＦＥＲＭ  ＢＰ−０８６１９）である。
請求項８記載の本発明は、請求項３〜７のいずれかに記載のマウス−ヒトハイブリドーマを培養することを特徴とする請求項１又は２記載のヒトモノクローナル抗体の製造方法である。
請求項９記載の本発明は、請求項１又は２記載のヒトモノクローナル抗体を用いることを特徴とする花粉アレルゲンの検出方法である。
請求項１０記載の本発明は、請求項１又は２記載のヒトモノクローナル抗体を含むことを特徴とする花粉アレルゲンの検出用キットである。
【発明の効果】
【００１１】
本発明のヒトモノクローナル抗体は、花粉アレルゲンに対し特異的に結合するので、花粉アレルゲンの検出に使用することができる。
また、本発明のハイブリドーマは、該抗体を細胞外に半永久的に継続して安定的に分泌することができる。
従って、本発明は、花粉症患者の花粉アレルゲンの解析や、花粉症の予防、治療等並びにそれらの研究に有用である。
【発明を実施するための最良の形態】
【００１２】
本発明が対象とする花粉アレルゲンとしては、スギ、ヒノキ、ブタクサ、セイタカアワダチソウ、カモガヤ、ハルガヤ、シラカバ、ハンノキ等の植物の花粉に含まれる花粉蛋白質アレルゲンであるり、例えば、スギ花粉粗アレルゲンやＣｒｙ  ｊ１、Ｃｒｙ  ｊ２等のスギ花粉アレルゲンを挙げることができる。
【００１３】
本発明の花粉アレルゲンに対するヒトモノクローナル抗体を分泌するマウス−ヒトハイブリドーマは、花粉症アレルゲンに対する特異的な抗体を分泌するヒトリンパ球を分離し、マウス骨髄腫細胞と細胞融合することによって得ることができる。
花粉症アレルゲンに対する特異的な抗体を分泌するヒトリンパ球は、花粉症患者の末梢血や脾臓、扁桃などから分離して入手することができる。本発明においては、このように、花粉症患者、特に、明らかに花粉症を発症しており、花粉症の原因植物が明らかで、且つ、血清中の抗花粉ＩｇＥ抗体の濃度が高い患者から採取した末梢血リンパ球を用いることにより、抗花粉抗体を分泌する抗体陽性細胞を高い確率で得ることができるので、結果的に、安定的にヒト抗花粉モノクローナル抗体を分泌するマウス−ヒトハイブリドーマを効率良く得ることができる。
花粉症のヒトの末梢血からのリンパ球の分離には、例えば、フィコールパックを使用した遠心分離法等を利用することができる。
【００１４】
分離されたヒトリンパ球は、花粉症アレルゲンに対する特異的な抗体を分泌することを、所望の花粉アレルゲンを抗原として利用した酵素免疫測定法（ＥＬＩＳＡ）等を利用して確認した上でそのまま使用してもよいが、確認する前にＥＢＶを感染させてＢ細胞を形質転換し、培養して増殖させてやると、抗体分泌細胞数が増えるので都合がよい。
ＥＢＶは、マーモセットＢ９５−８株の培養上清に含まれるものを用いることができる。
【００１５】
ヒトリンパ球にＥＢＶを感染させてＢ細胞を形質転換するには、例えば、５〜１０％の牛胎児血清をを含むＲＰＭＩ１６４０培地でマーモセットＢ９５−８株を継代培養して得られる培養上清を必要に応じてろ過して得られるＥＢＶ含有培地に、サイクロスポリンＡを０．５〜２μｇ／ｍｌ添加して培養することにより行うことができる。
ここで、ＥＢＶ形質転換Ｂ細胞は長期間培養するとクライシスを起こすので、培養は短期間とすることが好ましく、一般には、連続培養は３ヶ月以内、好ましくは１ヶ月以内にとどめることが好ましい（Counterら，J．Virol．，68，3410-3414（1994））。
【００１６】
次に、上記のようにして得られたヒトリンパ球とマウス骨髄腫細胞との細胞融合を行う。マウス骨髄腫細胞としては、従来細胞株として確立された様々なものの中から、適宜選択して用いることができる。
細胞融合は、常法に従って行うことができ、例えばポリエチレングリコール法に従い必要に応じてセンダイウィルス、ポリエチレングリコール等の融合促進剤を添加して行うこともできるし、電気穿孔法により行うこともできる。ヒトリンパ球とマウス骨髄腫細胞との混合割合は、一般に１：１０〜１０：１、好ましくは１：２〜５：１、特に好ましくは同数ずつとすることができる。
【００１７】
融合した細胞の分離選択は、適当な選択薬剤を用いた薬剤選択培養によって選択することができる。
例えばまず、薬剤による馴化培養や、薬剤耐性遺伝子を細胞に導入して薬剤耐性を付与する。続いて、形質転換Ｂ細胞を殺す薬剤とマウス骨髄腫細胞を死滅させる薬剤を添加し、融合した細胞のみが増殖するような薬剤デザインを行うか、或いは形質転換Ｂ細胞の蛋白質合成を不可逆的に阻害させておいて、マウス骨髄腫細胞だけを薬剤で死滅させる。
例えば、選択薬剤としてヒポキサンチン、アミノプテリン及びチミジン（ＨＡＴ）を用いた薬剤選択培養によることができる。ただし、ヒトリンパ球として上述したＥＢＶ形質転換Ｂ細胞を用いる場合は、ＨＡＴ培地中でも選択するため、ＨＡＴの他にも選択薬剤、例えばウアバインを利用することが必要となる。
【００１８】
ＨＡＴ感受性で且つウアバイン耐性のマウス骨髄腫細胞としては、ＳＰ２／Ｏをウアバインに馴化して得られたＳＰ２／Ｏ３株を好ましく用いることができる。
ＨＡＴ感受性で且つウアバイン耐性のマウス骨髄腫細胞を用いる場合、選択培地としては、一般的なＨＡＴ培地に０．１〜５μモル／Ｌのウアバインを添加したＯ−ＨＡＴ培地を用いて培養することとなる。
尚、融合した細胞の選択は、フローサイトメーターによって細胞の大きさで行うこともでき、また、マーカー色素の蛍光分析によっても分離することもできる。
【００１９】
上記細胞融合後、目的の抗体を分泌するハイブリドーマのスクリーニングは、花粉アレルゲンを利用した酵素免疫測定法（ＥＬＩＳＡ）、ラジオイムノアッセイ、ドットブロット分析、ウェスタンブロット分析などの免疫学的検査法を用いて行うことができる。
続いて、スクリーニングされた目的の抗体を分泌するマウス−ヒトハイブリドーマを、更に単一クローンにするために、限界希釈法、パンニング法、フローサイトメトリー法などによってクローニングする。得られたマウス−ヒトハイブリドーマクローンは、液体窒素保存容器あるいは超低温冷凍庫の中で半永久的に保存することができる。
【００２０】
このようして、本発明のマウス−ヒトハイブリドーマを得ることができる。本発明のマウス−ヒトハイブリドーマのうち、ＮＦ４６０２及びＮＦ４７０１は、スギ花粉アレルゲンＣｒｙ  ｊ１に対し特異的なヒトモノクローナル抗体を分泌し、ＮＦ４６０１は、未同定のスギ花粉アレルゲンに対し特異的なヒトモノクローナル抗体を分泌する。
ＮＦ４６０２、ＮＦ４７０１及びＮＦ４６０１は、独立行政法人産業技術総合研究所特許生物寄託センターに寄託されており、その受託番号はそれぞれＦＥＲＭ  ＢＰ−０８６２０、ＦＥＲＭ  ＢＰ−０８６２１及びＦＥＲＭ  ＢＰ−０８６１９である。
【００２１】
本発明の花粉アレルギーに対するヒトモノクローナル抗体は、上記した本発明のマウス−ヒトハイブリドーマを常法により培養して得られる上清中に分泌される。マウス−ヒトハイブリドーマの培養は、一般的な動物細胞培養液を用いて行うことができ、例えば、牛胎児血清、子牛血清などの動物血清を適宜加えるか、増殖ホルモンなどを加えた無血清培地、あるいは蛋白質をまったく含まない無蛋白質培地を用いることができる。
【００２２】
本発明のヒトモノクローナル抗体は、花粉アレルゲンに結合するので、花粉アレルゲンの検出に用いることができる。抗体と花粉アレルゲンとの結合は、花粉そのものへの結合、或いは花粉から抽出した花粉アレルゲンを固定化した固相への抗体の結合として検出することができる。
従って、例えば、検体を９６穴プレートや適当なメンブレンに直接固定化するか、あるいは試料をポリアクリルアミドゲル電気泳動後にメンブレンに転写するなどしたものに、花粉アレルゲンに対するヒトモノクローナル抗体を反応させ、酵素免疫測定法（ＥＬＩＳＡ）等を利用して、検体の中に花粉アレルゲンが含まれているか否かを検出することができる。
【００２３】
また、本発明の花粉アレルゲンに対するヒトモノクローナル抗体は、花粉アレルゲンに結合するので、検出方法に応じて必要な試薬等と共に花粉アレルゲンの検出用キットとして利用することもできる。
【実施例】
【００２４】
以下、本発明を実施例をもとに詳細に述べるが、本発明は以下の実施例に例示された試薬、細胞、花粉、ウィルス株にのみ限局されるものではない。
【００２５】
実施例１［スギ花粉症患者末梢血Ｂ細胞の形質転換］
１）末梢血リンパ球の分離
スギおよび通年性花粉症患者６人から、ヘパリン採血により無菌的に末梢血を得た。血液は、等量のリン酸緩衝生理食塩水（ＰＢＳ）で希釈し、あらかじめ遠心管に分注しておいたフィコールパック溶液（アマシャム社製）の上に重層した。これを１，５００回転／分で４０分間遠心し、フィコールパック溶液と血漿の界面に分布する単球画分を採取して末梢血リンパ球とした。
尚、スギおよび通年性花粉症患者については、いずれも花粉症の自覚症状があり、ＡｌａＳｔａｔ（株式会社ダイアヤトロン製）によって測定した血清中の抗スギ花粉ＩｇＥ抗体がクラス４以上（１７．５国際単位／ｍｌ以上）の値を示していた。
末梢血リンパ球は、培地（ＲＰＭＩ１６４０培地，シグマ社）に懸濁させ、１，０００回転／分で１０分間遠心し、上清を除くことによって洗浄した。３回洗浄した末梢血リンパ球を、１０％牛胎児血清を含む培地に懸濁し、細胞密度を１．１ｘ１０６細胞／ｍｌに調製した。
【００２６】
２）  エプスタイン−バールウィルス含有培地の調製
マーモセットＢ９５−８株の培養上清に含まれるエプスタイン−バールウィルスを用いた。Ｂ９５−８株を、１０％牛胎児血清を含むＲＰＭＩ１６４０培地で継代培養し、細胞が十分増殖した培養上清を０．４５μｍのフィルターを通した後、使用まで−８０℃に凍結保存した。
【００２７】
３）末梢血リンパ球へのエプスタイン−バールウィルスの感染と形質転換細胞の培養
末梢血リンパ球浮遊液の１０分の１容量のエプスタイン−バールウィルス含有培地を加え、サイクロスポリンＡ（シグマ社）を終濃度２μｇ／ｍｌとなるように加え、９６穴プレートに１００μＬずつ分注した。プレートは３７℃、５％炭酸ガス雰囲気下、湿度９０％以上で培養した。途中、培地を追加し、さらに培地の半量ずつを適宜交換して、形質転換細胞を培養した。
その結果、培養した２，２９８穴すべてに形質転換細胞が増殖した。
【００２８】
４）酵素免疫測定法による培養上清中の抗花粉抗体の検出
０．０５ｍｏｌ／Ｌの炭酸水素ナトリウム溶液に溶解したスギ花粉抽出物（１μｇ／ｍｌ）をポリスチレン製９６穴アッセイプレートに５０μＬずつ分注し、４℃で１晩静置して、抗原をプレートに吸着させた。抗原を捨て、ブロックエース（大日本製薬）でプレートをブロッキングした後、０．０５％ツイン２０を含むＰＢＳでプレートを３回洗浄した。ここに形質転換細胞の培養上清５０μＬを加え室温で１時間静置した。
上清を捨て、プレートを３回洗浄後、１万倍希釈したペルオキシダーゼ標識抗ヒトＩｇＭ抗体溶液（バイオソース社）５０μＬを加えさらに１時間静置した。プレートに結合したペルオキシダーゼ活性を、2，2’-azino-di-（3-ethylbenzthiazolin sulfonic acid）を基質として測定した。
その結果、２，２９８穴から得られた培養上清のうち、３０穴のものにスギ花粉抗原と反応するものが検出された。これらの抗体を分泌する細胞を、液体窒素中に凍結保存した。
また、同様の方法で、培養上清のうち１８穴のものにイネ科雑草であるカモガヤ花粉抗原と反応するものも検出された。
【００２９】
実施例２［花粉特異的抗体分泌マウス−ヒトハイブリドーマの作製］
１）細胞株
スギ花粉に対する抗体を分泌する形質転換Ｂ細胞として、ＢＬＣ４５０１、ＢＬＣ４６０１、ＢＬＣ４６０２、ＢＬＣ４６０３、およびＢＬＣ４７０１を用いた。マウスミエローマ細胞として、ＳＰ２／Ｏをウアバインに馴化させたＳＰ２／Ｏ３株を用いた。
【００３０】
２）細胞融合とマウス−ヒトハイブリドーマの選択培養
培地で３回洗浄した形質転換Ｂ細胞２ｘ１０７個とＳＰ２／Ｏ３の同数を、５０ｍｌコニカル遠心管中で混合し、１，５００回転／分で１０分間遠心した。上清を除去後、５０％ポリエチレングリコール（シグマ社）１ｍｌを１分間かけて添加し、細胞融合した。融合した細胞を牛胎児血清を含まない培地１０ｍｌで希釈後、遠心してポリエチレングリコールを吸引除去した。融合細胞を３０ｍｌのＦＣＳを含む培地に懸濁し、この１５０μＬを９６穴プレートに分注し、培養した。
培養翌日に、ウアバイン２μモル／Ｌ、ヒポキサンチン０．１ｍモル／Ｌ、アミノプテリン０．４μモル／Ｌ、チミジン１６μモル／Ｌを含む選択培地（Ｏ−ＨＡＴ培地）を添加し、以降２〜３日ごとに半量ずつ選択培地を交換した。
その結果、２〜３週間後にすべての穴でハイブリドーマが増殖した。
【００３１】
３）ハイブリドーマのクローニング
培養上清の抗スギ花粉抗原抗体を酵素免疫測定法で測定し、陽性となった培養穴の細胞を限界希釈法でクローニングした。
それぞれの形質転換Ｂ細胞から、最終的にマウス−ヒトハイブリドーマクローンＮＦ４５０１、ＮＦ４６０１、ＮＦ４６０２、ＮＦ４６０３およびＮＦ４７０１が得られた。
【００３２】
実施例３［酵素免疫測定法によるアレルゲンの同定］
スギ花粉粗アレルゲン、スギ花粉アレルゲンＣｒｙ  ｊ１およびＣｒｙ  ｊ２を、前述の実施例１の４）に記載した方法に従って９６穴ＥＬＩＳＡプレートにコートし、実施例２で得られたマウス−ヒトハイブリドーマクローンの培養上清と反応させ、プレートに結合した２次抗体、すなわちペルオキシダーゼ標識抗ヒトＩｇＭ抗体の酵素活性を測定した。
表１に各アレルゲンに対するマウス−ヒトハイブリドーマクローンの反応の有無を示す。尚、表１中、対照（スギアレルゲンをコートしないウェル）における反応の有無は、「非特異的」として示した。
【００３３】
【表１】
2005289929.tif 000002
【００３４】
表１に示すように、ＮＦ４５０１およびＮＦ４６０３はスギアレルゲンをコートしないウェルとも反応したことから、非特異的結合抗体であることが明らかとなった。
一方、ＮＦ４６０１はスギ花粉粗アレルゲンとのみ反応した。また、ＮＦ４６０２はスギ花粉粗アレルゲンとＣｒｙ  ｊ１と、ＮＦ４７０１はＣｒｙ  ｊ１とのみ反応した。これらは、ＮＦ４６０２およびＮＦ４７０１がスギ花粉アレルゲン蛋白質Ｃｒｙ  ｊ１に対する抗体であり、ＮＦ４６０１はスギ花粉粗アレルゲンに含まれるＣｒｙ  ｊ１およびＣｒｙ  ｊ２以外のアレルゲン蛋白質に対する抗体であることを示すものと考えられる。
【００３５】
以上より、マウス−ヒトハイブリドーマクローンＮＦ４６０２あるいはＮＦ４７０１を用いることにより、スギ花粉アレルゲンＣｒｙ  ｊ１を、ＮＦ４６０１を用いることによって未同定のスギ花粉アレルゲンを検出できることが明らかとなった。
【産業上の利用可能性】
【００３６】
本発明のヒトモノクローナル抗体は、花粉アレルゲンに対し特異的に結合するので、花粉アレルゲンの検出に使用することができる。
また、本発明のハイブリドーマは、該抗体を細胞外に半永久的に継続して安定的に分泌することができる。
従って、本発明は、花粉症患者の花粉アレルゲンの解析や、花粉症の予防、治療等並びにそれらの研究に有用である。